(57)【要約】【課題】任意の形状の評価基準線をより簡単に作成し、評価基準として設定できるようにする。【解決手段】ユーザ端末２の画面２Ｇをタッチパネルとする。スタイラス（操作デバイス）２４を用いて、画面２Ｇに表示されているグラフＧＦに重ねて線を描く。この描かれた線をそのグラフＧＦに対する評価基準を示す線（評価基準線）Ｌとして表示する。画面２Ｇ上で確定された評価基準線Ｌを評価基準として設定する。【選択図】  図４
2020091625.tif 000002
【特許請求の範囲】
【請求項１】
データを記憶するデータ記憶部と、
前記データ記憶部に記憶されているデータから生成されるグラフを画面に表示するように構成されたグラフ表示部と、
グラフを表示している前記画面に対する操作入力に基づいて、そのグラフに重ねて評価基準となる線を表示するように構成された評価基準線表示部と
を備えることを特徴とするグラフ表示装置。
【請求項２】
請求項１に記載されたグラフ表示装置において、
前記画面に表示されているグラフに係る情報をグラフ情報として取得し、前記画面に表示されているグラフに重ねて表示されている前記評価基準となる線を示すデータを評価基準データとして取得し、この取得したグラフ情報と評価基準データとを関連付けるように構成されたデータ関連付け部と、
前記データ関連付け部によって関連付けられたグラフ情報と評価基準データとが保存されるデータベースと
をさらに備えることを特徴とするグラフ表示装置。
【請求項３】
請求項１又は２に記載されたグラフ表示装置において、
先の尖った棒状の操作デバイスをさらに備え、
前記画面は、
前記画面における前記操作デバイスの接触位置を感知するセンサを備えたタッチパネルとされている
ことを特徴とするグラフ表示装置。
【請求項４】
データを記憶部に記憶するデータ記憶ステップと、
前記記憶部に記憶されているデータから生成されるグラフを画面に表示するグラフ表示ステップと、
グラフを表示している前記画面に対する操作入力に基づいて、そのグラフに重ねて評価基準となる線を表示する評価基準線表示ステップと
を備えることを特徴とするグラフ表示方法。
【請求項５】
請求項４に記載されたグラフ表示方法において
前記画面に表示されているグラフに係る情報をグラフ情報として取得し、前記画面に表示されているグラフに重ねて表示されている前記評価基準となる線を示すデータを評価基準データとして取得し、この取得したグラフ情報と評価基準データとを関連付けるデータ関連付けステップと、
前記データ関連付けステップによって関連付けられたグラフ情報と評価基準データとをデータベースに保存するステップと
をさらに備えることを特徴とするグラフ表示方法。
【発明の詳細な説明】
【技術分野】
【０００１】
本発明は、グラフ表示装置およびグラフ表示方法に関し、収集された計測データを画面にグラフ化して表示する際に用いて好適なグラフ表示装置およびグラフ表示方法に関する。
【背景技術】
【０００２】
従来より、ビルのエネルギー管理や設備管理業務の効率化を図り、管理コストの削減を実現することを目的として、ビル向けクラウドサービスと呼ばれるサービスが提供されている。
【０００３】
このビル向けクラウドサービスでは、複数のビルにおける電力量や温度など各種の計測データをインターネット等のネットワークを介して収集し、その収集した計測データをサーバ（クラウドサーバ）に記憶させるようにしている。
【０００４】
このクラウドサーバに記憶された計測データは、ネットワークに接続されたユーザの端末（以下、「ユーザ端末」と呼ぶ。）の画面にグラフ化して表示させることが可能である。
【０００５】
例えば、時系列／円／散布図などのグラフの種別、計測ポイント、期間などをユーザが指定すると、クラウドサーバに記憶されている計測データの中から指定された条件の計測データが読み出され、この読み出された計測データから指定された種別のグラフが生成され、この生成されたグラフがユーザ端末の画面に表示される。
【０００６】
このようなビル向けクラウドサービスでは、ユーザ端末の画面に表示されているグラフに対して、そのグラフを評価する際に用いる評価基準（例えば、特許文献１参照。）を設定することが可能とされている。
【０００７】
図６に、一例として、ユーザ端末の画面Ｇに表示されたグラフＧＦ１を示す。このグラフＧＦ１は、あるビルの４階（４Ｆ）の１日の電力量を時系列で表示させたグラフである。図７に、画面Ｇに表示されているグラフＧＦ１に対する評価基準の設定例を示す。
【０００８】
図７に示した例では、画面Ｇの入力欄Ｓ１に、評価基準として設定したい数値を入力する。すると、入力された数値を示す線（直線）Ｌ１が評価基準を示す線（評価基準線）として、グラフＧＦ１に重ねて表示される。ユーザは、このグラフＧＦ１に重ねて表示された評価基準線Ｌ１を見ながら、入力欄Ｓ１に入力する数値を調整することによって、グラフＧＦ１に対しての評価基準線Ｌ１を確定する。この確定された評価基準線Ｌ１が評価基準として設定される。
【先行技術文献】
【特許文献】
【０００９】
【特許文献１】特開２０１５−２１９６７８号公報
【発明の概要】
【発明が解決しようとする課題】
【００１０】
しかしながら、図７に示した評価基準の設定例によると、評価基準線を直線でしか作成することができない。すなわち、任意の形状の評価基準線を作成することができない。また、評価基準の設定手順として、（１）グラフの軸ラベルを読む（例：軸の最大が「８」）、（２）グラフのデータを読む（例：一番大きいデータの値が「８」）、（３）評価基準の数値を入れる（例：ひとまず「８」に設定）、（４）グラフに重ねて表示された評価基準線を見て評価基準の数値を調整する、というような手順を踏まなくてはならず、簡単に評価基準を設定することができない。
【００１１】
なお、図７には時系列のグラフに対する評価基準の設定例を示したが、散布図などのグラフに対する評価基準の設定は更に難しいものとなる。図８に、散布図とされたグラフＧＦ２に対する評価基準の設定例を示す。この設定例では、画面Ｇの入力欄Ｓ２に、評価基準として設定したい範囲の各頂点のＸ，Ｙ座標（この例では、４つの頂点の座標）を入力する。すると、入力された各頂点のＸ，Ｙ座標を結ぶ線（枠線）Ｌ２が評価基準線として、グラフＧＦ２に重ねて表示される。
【００１２】
図８に示した例では、グラフのＸ軸／Ｙ軸を見ながら、頂点の数を定めたり、頂点の座標を入力したりしなければならず、ユーザの思考負荷が大きく、評価基準の設定はより難しくなる。また、Ｘ，Ｙ座標を入力することが可能な頂点の数には限りがあり、任意の形状の評価基準線を作成することはできない。
【００１３】
本発明は、このような課題を解決するためになされたもので、その目的とするところは、画面に表示されているグラフに対して、任意の形状の評価基準線をより簡単に作成し、評価基準として設定することが可能なグラフ表示装置およびグラフ表示方法を提供することにある。
【課題を解決するための手段】
【００１４】
このような目的を達成するために本発明は、データを記憶するデータ記憶部（１２）と、前記データ記憶部に記憶されているデータから生成されるグラフ（ＧＦ）を画面（２Ｇ）に表示するように構成されたグラフ表示部（２１）と、グラフを表示している前記画面に対する操作入力に基づいて、そのグラフに重ねて評価基準となる線（Ｌ）を表示するように構成された評価基準線表示部（２２）とを備えることを特徴とする。
【００１５】
本発明では、グラフを表示している画面に対する操作入力に基づいて、そのグラフに重ねて評価基準となる線（評価基準線）が表示される。例えば、画面をタッチパネルとし、このタッチパネルに対してスタイラス（先の尖った棒状の操作デバイス）を用いて線を描くと、その線が評価基準線として表示される。この場合、スタイラスを用いて線を画面中に描く操作が、本発明でいう「画面に対する操作入力」に相当する。本発明は、このような画面に対する操作入力によって、画面に表示されているグラフに対して、任意の形状の評価基準線をより簡単に作成することが可能となる。
【００１６】
本発明の一構成例では、画面に表示されているグラフに係る情報をグラフ情報として取得し、画面に表示されているグラフに重ねて表示されている評価基準線を示すデータを評価基準データとして取得し、この取得したグラフ情報と評価基準データとを関連付けてデータベースに保存するようにする。これにより、例えば、同様のグラフを画面に表示する際、そのグラフに係る情報と関連付けてデータベースに保存されている評価基準データを読み出すようにして、前に作成された評価基準線を再利用することが可能となる。
【００１７】
なお、上記説明では、一例として、発明の構成要素に対応する図面上の構成要素を、括弧を付した参照符号によって示している。
【発明の効果】
【００１８】
以上説明したように、本発明によれば、グラフを表示している画面に対する操作入力に基づいて、そのグラフに重ねて評価基準となる線を表示するようにしたので、画面に表示されているグラフに対して、任意の形状の評価基準線をより簡単に作成し、評価基準として設定することが可能となる。
【図面の簡単な説明】
【００１９】
【図１】図１は、本発明の実施の形態に係るグラフ表示装置を含むビル向けクラウドサービスシステムの要部を示す図である。
【図２】図２は、このビル向けクラウドサービスシステムにおけるクラウドサーバおよびユーザ端末の要部の構成を示すブロック図である。
【図３】図３は、本発明の実施の形態に係るグラフ表示装置における評価基準線表示部が有する機能を説明する図である。
【図４】図４は、本発明の実施の形態に係るグラフ表示装置における評価基準線の作成例１を示す図である。
【図５】図５は、本発明の実施の形態に係るグラフ表示装置における評価基準線の作成例２を示す図である。
【図６】図６は、ユーザ端末の画面に表示されたグラフの一例（時系列のグラフ）を示す図である。
【図７】図７は、図６に示したグラフに対する従来の評価基準の設定例（評価基準線の作成例）を示す図である。
【図８】図８は、ユーザ端末の画面に表示された別の種別のグラフ（散布図）に対する従来の評価基準の設定例（評価基準線の作成例）を示す図である。
【発明を実施するための形態】
【００２０】
以下、本発明の実施の形態を図面に基づいて詳細に説明する。先ず、実施の形態の説明に入る前に、本発明の概要について説明する。
【００２１】
〔発明の概要〕
ＡＩ（artificial intelligence）による「快適制御」を行おうとする場合、学習データが必要となるが、「休日」「建物の種類」「計測位置」「業務時間」など、条件が複雑に絡み合うため、「快適」を一意に定義することはとても難しい。一方、その分野に詳しい人であれば、例えば計測値の温度に対し、「その条件だったら、これぐらいが理想である。」というのを、比較的早く提示できる。
【００２２】
発明者は、この理想的な線を、画面に表示されているグラフに重ねて、スタイラスなどの操作デバイスを用いて描くようにし、この描かれた線を「人が定義した評価基準線」として表示するようにすれば、任意の形状の評価基準線をより簡単に作成し、評価基準として設定することが可能となるのではないかと考えた。
【００２３】
また、発明者は、画面に表示されているグラフに係る情報をグラフ情報とし、画面に表示されているグラフに対して作成された評価基準線を示すデータを評価基準データとした場合、このグラフ情報と評価基準データとを関連付けてデータベースに保存するようにすることにより、同様のグラフを表示する際、そのグラフに係る情報と関連付けてデータベースに保存されている評価基準データを読み出すようにして、前に作成された評価基準線を再利用することが可能となり、現場ごとに、より「快適」を検知する仕組み、制御する仕組みが実現できるのではないかと考えた。現状において、「グラフ情報」と「評価基準データ」とを関連付けて蓄積、再利用できる仕組みはない。
【００２４】
〔実施の形態〕
以下、本発明の実施の形態を図面に基づいて詳細に説明する。図１は本発明の実施の形態に係るグラフ表示装置を含むビル向けクラウドサービスシステムの要部を示す図である。
【００２５】
このビル向けクラウドサービスシステムにおいて、クラウドサーバ１とユーザ端末２とはインターネット等のネットワーク３を介して相互に接続されている。クラウドサーバ１は、複数のビル４における電力量や温度など各種の計測データをネットワーク３を介して収集し、その収集した計測データを記憶する機能を有している。なお、図１において、ユーザ端末２は複数存在するが、簡単のため１つしか示していない。
【００２６】
図２に、クラウドサーバ１およびユーザ端末２の要部の構成を示す。このクラウドサーバ１とユーザ端末２とで本実施の形態に係るグラフ表示装置１００が構成されている。クラウドサーバ１やユーザ端末２は、プロセッサや記憶装置からなるハードウェアと、これらのハードウェアと協働して各種機能を実現させるプログラムとによって実現される。
【００２７】
クラウドサーバ１は、複数のビル４における電力量や温度など各種の計測データをネットワーク３を介して収集する計測データ収集部１１と、計測データ収集部１１によって収集された計測データを記憶する計測データ記憶部１２と、後述するグラフ情報と評価基準データとが関連付けて保存されるデータベース１３とを備えている。
【００２８】
ユーザ端末２は、画面２Ｇにグラフを表示するグラフ表示部２１と、画面２Ｇに評価基準線を表示する評価基準線表示部２２と、上述したグラフ情報と評価基準データとを関連付けるデータ関連付け部２３と、操作デバイス２４とを備えている。
【００２９】
本実施の形態において、操作デバイス２４は、先の尖った棒状の操作デバイス（スタイラス）とされており、画面２Ｇは、その画面２Ｇにおける操作デバイス２４の接触位置を感知するセンサを備えたタッチパネルとされている。以下、本実施の形態における操作デバイス２４をスタイラスと呼ぶ。
【００３０】
ユーザ端末２において、グラフ表示部２１は、ユーザからの時系列／円／散布図などのグラフの種別、計測ポイント、期間などの条件を指定してのグラフ表示指示に応じ、計測データ記憶部１２に記憶されている計測データの中から指定された条件の計測データを読み出し、この読み出した計測データから指定された種別のグラフを生成し、この生成したグラフをユーザ端末２の画面２Ｇに表示する機能を有している。グラフ表示部２１に対するユーザからのグラフ表示指示は画面２Ｇから行われる。
【００３１】
ユーザ端末２において、評価基準線表示部２２は、画面２Ｇに表示されているグラフにスタイラス２４を用いて重ねて描かれる線を、そのグラフに対する評価基準線として表示する機能を有している。以下、この機能について、図３を用いて簡単に説明する。
【００３２】
画面２Ｇはタッチパネルとされており、スタイラス２４の先端を画面２Ｇに接触させると、その画面２Ｇにおけるスタイラス２４の先端の接触位置Ｐが感知され、評価基準線表示部２２に送られる。評価基準線表示部２２は、画面２Ｇから送られてくるスタイラス２４の先端の接触位置Ｐを認識し、その認識した画面２Ｇ上の接触位置Ｐに対して表示指令を送る。
【００３３】
画面２Ｇにおいて、スタイラス２４の先端の接触位置Ｐをずらして行くと、そのずらされたスタイラス２４の先端の接触位置Ｐが感知され、評価基準線表示部２２に次々に送られて行く。評価基準線表示部２２は、画面２Ｇから次々に送られてくるスタイラス２４の先端の接触位置Ｐを認識し、その認識した画面２Ｇ上の接触位置Ｐに対して表示指令を送る。これにより、画面２Ｇに、スタイラス２４の先端の接触位置Ｐをつなぐ線が評価基準線として表示される。
【００３４】
〔評価基準線の作成例１〕
例えば、図４に示すように、ユーザ端末２の画面２ＧにグラフＧＦが表示されているものとする。この例において、グラフＧＦは、あるビルの４階（４Ｆ）の１日の電力量を時系列で表示させたグラフＧＦ１とする。
【００３５】
この場合、ユーザは、スタイラス２４を用いて、画面２Ｇに表示されているグラフＧＦ１に重ねて線を描く。
【００３６】
すると、評価基準線表示部２２は、このスタイラス２４を用いて描かれた線を、グラフＧＦ１に対して作成された評価基準線Ｌ（Ｌ１）として表示する。
【００３７】
〔評価基準線の作成例２〕
例えば、図５に示すように、ユーザ端末２の画面２ＧにグラフＧＦとして、散布図とされたグラフＧＦ２が表示されているものとする。
【００３８】
この場合、ユーザは、スタイラス２４を用いて、画面２Ｇに表示されているグラフＧＦ２に重ねて線（この例では、枠線）を描く。
【００３９】
すると、評価基準線表示部２２は、このスタイラス２４を用いて描かれた線を、グラフＧＦ２に対して作成された評価基準線Ｌ（Ｌ２）として表示する。
【００４０】
図４や図５に示した例からも分かるように、本実施の形態では、画面２Ｇをタッチパネルとし、操作デバイス２４をスタイラスとすることによって、画面２Ｇに表示されているグラフＧＦに対して、評価基準線Ｌを任意の形状として描くことができる。これにより、グラフＧＦを表示している画面２Ｇに対して操作入力を行うようにして、すなわち画面２Ｇにおける指示位置を連続的に変化させるような操作入力を行うようにして、任意の形状の評価基準線Ｌをより簡単に作成し、評価基準として設定することができるようになる。
【００４１】
〔データの関連付け〕
画面２Ｇにおいて評価基準線Ｌが確定されると、データ関連付け部２３は、画面２Ｇに表示されているグラフＧＦに係る情報（例えば、グラフの種別、計測ポイント、期間など）をグラフ情報としてグラフ表示部２１から取得し、グラフＧＦに対して作成された評価基準線Ｌを示すデータを評価基準データとして評価基準線表示部２２から取得し、この取得したグラフ情報と評価基準データとを関連づけ、この関連付けられたグラフ情報と評価基準データとをクラウドサーバ１のデータベース１３に保存する。
【００４２】
このデータベース１３に保存されている評価基準データは、必要に応じて読み出して、再利用することが可能である。例えば、過去／現在／未来（予測）のグラフなど同様のグラフをユーザ端末２の画面２Ｇに表示する際、そのグラフに係る情報と関連付けてデータベース１３に保存されている評価基準データを読み出すようにして、その評価基準データで示される評価基準線を重ねて表示するようにする。これにより、前に作成された評価基準線を再利用して、同様のグラフを評価することが可能となる。
【００４３】
また、例えば、データベース１３に保存されている他のグラフの評価基準データを表示するようにしたり、データベース１３に保存されているグラフ情報と評価基準データを検索できるようにしたり、データベース１３に保存されている現場ごとの評価基準データを更に評価できるようにしたりしてもよい。データベース１３に保存されているグラフ情報と評価基準データを検索できるようにすることによって、例えば、他現場のエンジ効率の改善を図ることが可能となる。また、データベース１３に保存されている現場ごとの評価基準データを更に評価できるようにすることによって、例えば、建物ごとの制御レベルの見える化を行うことが可能となる。
【００４４】
なお、上述した実施の形態では、画面２Ｇをタッチパネルとし、スタイラス２４を用いて評価基準線Ｌを描くものとしたが、指で評価基準線Ｌを描くものとしてもよい。また、画面２Ｇは必ずしもタッチパネルとしなくてもよく、操作デバイス２４としてマウスを用いるようにしてもよい。また、上述した実施の形態では、グラフ表示部２１やデータ関連付け部２３をユーザ端末２側に設けたが、クラウドサーバ１側に設けるようにしてもよい。また、クラウドサーバ１はＬＡＮ（Local Area Network）上のサーバであっても構わない。
【００４５】
〔実施の形態の拡張〕
以上、実施の形態を参照して本発明を説明したが、本発明は上記の実施の形態に限定されるものではない。本発明の構成や詳細には、本発明の技術思想の範囲内で当業者が理解し得る様々な変更をすることができる。
【符号の説明】
【００４６】
１…クラウドサーバ、２…ユーザ端末、３…ネットワーク、４…ビル、１１…計測データ収集部、１２…計測データ記憶部、１３…データベース、２１…グラフ表示部、２２…評価基準線表示部、２３…データ関連付け部、２４…操作デバイス（スタイラス）、２Ｇ…画面、Ｌ（Ｌ１，Ｌ２）…評価基準線、ＧＦ（ＧＦ１，ＧＦ２）…グラフ、１００…グラフ表示装置。
【図１】
2020091625.tif 000003
【図２】
2020091625.tif 000004
【図３】
2020091625.tif 000005
【図４】
2020091625.tif 000006
【図５】
2020091625.tif 000007
【図６】
2020091625.tif 000008
【図７】
2020091625.tif 000009
【図８】
2020091625.tif 000010